(57)【要約】      （修正有）【課題】他人に認識されることなく、遺骨と遺影の双方を一緒に収納して、常時、人の首に垂れ下げて生活することで、故人を偲ぶのみならず、一種の「守り札」としての機能をも有する遺骨・遺影収納ケースを提供する。【解決手段】遺骨・遺影収納ケースは、二つ折り可能な長方形状であって、ベース部１とカバー部２とから成り、遺骨Ｂは、小封筒状の遺骨収納封筒Ａ1 に封入され、遺影Ｐと遺骨収納封筒は、遺影を上にして、ベース部の内側に設けられた収納配置空間７に一緒に収納される構成とする。【選択図】図４
0003220408.tif 000002
【実用新案登録請求の範囲】
【請求項１】
故人の遺骨と遺影とが収納されて、人の首に垂れ下げて使用される遺骨・遺影収納ケースであって、
遺骨収納部と遺影収納部とを備え、当該各収納部に収納された遺骨及び遺影は、開閉可能なカバー部により覆われていることを特徴とする遺骨・遺影収納ケース。
【請求項２】
遺骨・遺影収納ケースは、二つ折り可能な長方形状であって、ベース部とカバー部とから成り、遺骨は、小封筒状の遺骨収納封筒に封入されて、前記遺影と当該遺骨収納封筒は、当該遺影を上にして、前記ベース部の内側に設けられた収納部に一緒に収納されることを特徴とする請求項１に記載の遺骨・遺影収納ケース。
【請求項３】
遺骨・遺影収納ケースは、二つ折り可能な長方形状であって、ベース部とカバー部とから成り、遺骨は、遺骨収納袋に封入されて、前記遺影と当該遺骨収納袋は、前記ベース部とカバー部の内側に設けられた各収納部に、それぞれ個別に収納されることを特徴とする請求項１に記載の遺骨・遺影収納ケース。
【考案の詳細な説明】
【技術分野】
【０００１】
本考案は、故人の遺骨と遺影を一緒に収納して、人の首から垂れ下げることで、常に身につけて使用される遺骨・遺影収納ケースに関するものである。
【背景技術】
【０００２】
故人を身近に感じて心を癒すために、当該故人の遺骨を収容したペンダントとしては、例えば、特許文献１，２を含めて多数の出願が公開されている。しかし、これらのペンダントは、他人から認識されないように、遺骨を埋設状態で収容することで、本人のみが、当該遺骨の存在を認識し得るようにして、常に身に付けて故人を偲び得るようにしている。
【０００３】
しかし、故人を心の奥から偲ぶには、遺骨のみならず、遺影の存在が望ましいが、ペンダントでは、他人に認識されることなく、遺骨と遺影を収納することが難しいために、その双方を備えたペンダント類は出現していない。
【先行技術文献】
【特許文献】
【０００４】
【特許文献１】特開２００８−１２５８５８号公報
【特許文献２】特開２００９−３９１４１号公報
【考案の概要】
【考案が解決しようとする課題】
【０００５】
本考案は、他人に認識されることなく、遺骨と遺影の双方を一緒に収納して、常時、人の首に垂れ下げて生活することで、故人を偲ぶのみならず、一種の「守り札」としての機能をも有する遺骨・遺影収納ケースの提供を課題としている。
【課題を解決するための手段】
【０００６】
上記課題を解決するための請求項１の考案は故人の遺骨と遺影とが収納されて、人の首に垂れ下げて使用される遺骨・遺影収納ケースであって、
遺骨収納部と遺影収納部とを備え、当該各収納部に収納された遺骨及び遺影は、開閉可能なカバー部により覆われていることを特徴としている。
【０００７】
請求項１の考案によれば、故人の遺骨及び遺影は、いずれもケースに設けられた遺骨収納部及び遺影収納部にそれぞれ収納されて、カバー部で覆われた状態で、人の首から垂れ下げることで、常時、身に付けた状態で生活できる。このため、第三者は、首から垂れ下げられているケースに、遺骨及び遺影が収納されていることを認識できず、本人のみが、故人と強く結びついていることを認識しながら、故人の生前と同様に、大切な親族と一緒にいる状態を認識できて、深い安堵感が得られる。また、故人を直接に認識したい場合には、カバー部を開いて、故人の遺影を直接に見られる。
【０００８】
このように、遺骨及び遺影は、通常時には、いずれもカバー部で覆い隠されているため、第三者は、当該遺骨及び遺影を全く認識し得ないので、当該第三者に嫌悪感、不快感等のマイナスのイメージを与えることもない。更に、心理的には、故人から与えられた「守り札」と認識することで、故人に守られた状態で、安心して日々の生活を送ることができる。
【０００９】
請求項２の考案は、請求項１の考案において、遺骨・遺影収納ケースは、二つ折り可能な長方形状であって、ベース部とカバー部とから成り、遺骨は、小封筒状の遺骨収納封筒に封入されて、前記遺影と当該遺骨収納封筒は、当該遺影を上にして、前記ベース部の内側に設けられた収納部に一緒に収納されることを特徴としている。
【００１０】
請求項２の考案によれば、遺骨は、小封筒状の遺骨収納封筒に封入されて、遺影を上にして、ベース部の内側に設けられた収納部に二枚重ねの状態で収納され、二つ折り可能なケースのカバー部により、前記遺影が覆い隠される構造になっている。このように、遺骨が収納された遺骨収納封筒と遺影とが、常に二枚重ね状態で収納されているため、遺骨と遺影とが遺骨収納袋を介して接触して配置されるため、故人を偲ぶ心的状態が一層に深められる。
【００１１】
請求項３の考案は、請求項１の考案において、遺骨・遺影収納ケースは、二つ折り可能な長方形状であって、ベース部とカバー部とから成り、遺骨は、遺骨収納袋に封入されて、前記遺影と当該遺骨収納袋は、前記ベース部とカバー部の内側に設けられた各収納部に、それぞれ個別に収納されることを特徴としている。
【００１２】
請求項３の考案によれば、カバー部を開いて、遺影を見る時のみ、当該遺影と遺骨収納袋に収納された遺骨とが分離するが、主たる状態であるカバー部を閉じた通常の状態では、当該遺骨収納袋を介して遺影と遺骨とが接触した状態を保持しているため、故人を偲ぶ心的状態が一層に深められる。
【考案の効果】
【００１３】
請求項１の考案によれば、遺骨及び遺影は、通常時には、いずれもカバー部で覆い隠されていて、遺影を見る時のみ、カバー部を開く構成であって、第三者は、当該遺骨及び遺影を全く認識し得ないので、当該第三者に嫌悪感、不快感等のマイナスのイメージを与えることもなく、故人の生前と同様に、大切な親族と一緒にいる状態を認識できて、深い安堵感が得られる。更に、心理的には、故人から与えられた「守り札」と認識することで、故人に守られた状態で、安心して日々の生活を送ることができる。
【００１４】
請求項２又は３の考案によれば、遺骨が収納された遺骨収納袋と遺影とが、常に二枚重ね状態で収納されているため、遺骨と遺影とが遺骨収納袋を介して接触して配置されるため、故人を偲ぶ心的状態が一層に深められる。
【図面の簡単な説明】
【００１５】
【図１】（ａ），（ｂ）は、実施例１の遺骨・遺影収納ケースＣ1 の構成部材の縫製前、及び縫製後の各状態の斜視図である。
【図２】本考案の実施例１の遺骨・遺影収納ケースＣ1 と、遺骨粉Ｂが収納された遺骨収納封筒Ａ1 と遺影Ｐとの関係を示す平面図である。
【図３】（ａ），（ｂ）は、それぞれ遺骨・遺影収納ケースＣ1 のカバー部２を開いた状態、及び閉じた状態の斜視図である。
【図４】遺骨・遺影収納ケースＣ1 のカバー部２を開いた状態の模式的縦断面図である。
【図５】本考案の実施例２の遺骨・遺影収納ケースＣ2 と、遺骨粉Ｂが収納された遺骨収納袋Ａ2 と遺影Ｐとの関係を示す平面図である。
【図６】本考案の実施例２の遺骨・遺影収納ケースＣ2 を開いた状態の斜視図である。
【図７】（ａ），（ｂ）は、それぞれ遺骨・遺影収納ケースＣ2 のカバー部２を開いた状態、及び閉じた状態の模式的縦断面図である。
【図８】（ａ），（ｂ）は、それぞれ遺骨・遺影収納ケースＣ1 （Ｃ2 ）の異なる使用状態を示す図である。
【考案を実施するための形態】
【００１６】
以下、複数の実施例を挙げて、本考案について更に詳細に説明する。
【実施例１】
【００１７】
実施例１の遺骨・遺影収納ケースＣ1 は、図１〜図４に示されるように、ベース部１とカバー部２とが一体となった二つ折り可能な長方形状のケース体３を備え、当該ケース体３のベース部１の内側に、方形枠状の周縁枠体４が、同じく方形状をしたプラスチック製の透明カバー５を挟んで一体に縫着されている。周縁枠体４におけるケース体３の折曲げ部３ａと平行に配置される第１枠体辺部４ａのみは、遺影Ｐ及び小封筒状の遺骨収納封筒Ａ1 の挿入開口６（図４参照）を形成するために、緩やかなわん曲状に形成されて、前記ベース部１に対して縫着されておらず、当該ベース部１と前記透明カバー５との間は、遺影Ｐ及び遺骨収納封筒Ａ1 を収納配置させる収納配置空間７となっている。なお、前記ケース体３及び前記周縁枠体４は、いずれも皮製である。
【００１８】
また、ケース体３の折曲げ部３ａには、長方形状の当該ケース体３の幅方向に沿って所定間隔をおいて一対の紐通し孔８が形成され、ケース体３の長手方向に沿った両端縁の幅方向の中央部には、それぞれ所定長のファスナー９ａ，９ｂが幅方向に沿って一体に取付けられている。ファスナー９ａは、前記第１枠体辺部４ａと対向する第２枠体辺部４ｂに一体に取付けられている。各ファスナー９ａ，９ｂは、無数のきのこ片状の短片が絡み合うことで、一体に結合される構成である。なお、図１〜図４において、Ｓは、縫着部を示す。
【００１９】
遺骨収納封筒Ａ1 には、故人の遺骨を潰した遺骨粉Ｂが収納され、図３及び図４に示されるように、遺影Ｐが上になるようにして、当該遺影Ｐと、遺骨粉Ｂが収納された遺骨収納封筒Ａ1 とを二枚重ねにして、収納配置空間７の挿入開口６から当該収納配置空間７に挿入して配置する。遺骨粉Ｂが収納された遺骨収納封筒Ａ1 は、遺影Ｐの裏側に配置されて、当該遺影Ｐにより完全に覆われているので、ケース体３のカバー部２を開いた状態においても、第三者は、当該遺骨収納封筒Ａ1 、即ち遺骨粉（遺骨）Ｂの存在には、全く気付かない。
【００２０】
そして、ケース体３の折曲げ部３ａに設けられた一対の紐通し孔８に紐２１を通して、当該紐２１をループ状に結んで、図８に示されるように、ケース体３を人の首に垂れ下げることで、日常の生活の殆どの場面において、故人の遺骨Ｂと遺影Ｐを身に付けて生活でき、故人を偲ぶ心的状態を深めることができる。通常の状態では、遺影Ｐは、ケース体３のカバー部２で覆われているため、第三者は、ケースＣ1 の内部に何が収納されているかに関して、全く分からないため、当該遺影Ｐと遺骨Ｂの双方を認識し得ないので、第三者に対して嫌悪感、不快感等のマイナスのイメージを与えることはない。
【００２１】
また、必要な場合には、ケース体３のカバー部２を開くことで、遺骨Ｂと重なった状態の遺影Ｐを直接に見ることができて、故人を偲ぶ気持ちが深められる。ここで、遺影Ｐと、遺骨粉Ｂが収納された遺骨収納封筒Ａ1 とは二枚重ねとなって収納されているので、遺影Ｐを見る場合には、遺骨粉Ｂを直接に認識し得るので、故人を偲ぶ心的状態が一層に深められる。
【実施例２】
【００２２】
次に、図５〜図７を参照して、実施例２の遺骨・遺影収納ケースＣ2 について、前記遺骨・遺影収納ケースＣ1 と異なる部分についてのみ説明する。遺骨・遺影収納ケースＣ2 は、カバー部２の内側に、当該カバー部２と同一形状の配置空間形成板部１１が配置され、当該配置空間形成板部１１における前記挿入開口６と対向する部分を除いて、残りの３辺の周縁部は、カバー部２に対して縫着され、前記挿入開口６と対向する部分に、別の挿入開口１２が形成され、当該カバー部２と配置空間形成板部１１との間に、遺骨収納袋Ａ2 を収納配置させる別の収納配置空間１３が形成されている。
【００２３】
このため、ケース体３のベース部１及びカバー部２に形成された各収納配置空間７，１３に、それぞれ遺影Ｐ及び遺骨収納袋Ａ2 が収納配置される。遺骨収納袋Ａ2 には、遺骨粉Ｂが収納されて、その開口部は、凹凸嵌合形式のファスナー１４により閉じられている。
【００２４】
遺骨・遺影収納ケースＣ2 においては、遺影Ｐと、遺骨粉Ｂとが収納された状態で、当該遺影Ｐと、遺骨粉Ｂが収納された遺骨収納袋Ａ2 とは、配置空間形成板部１１を介して二枚重ねとなって、遺影Ｐと遺骨粉Ｂとが近接した状態となっているので、故人を偲ぶ心的状態が一層に深められる。
【００２５】
なお、ケースＣ1 ，Ｃ2 を構成するベース部１に対してカバー部２が閉じた状態を保持するには、ファスナーの外に、ホック類を使用してもよい。
【符号の説明】
【００２６】
Ａ1 ：遺骨収納封筒
Ａ2 ：遺骨収納袋
Ｂ：遺骨（遺骨粉) 
Ｃ1 ，Ｃ2 ：遺骨・遺影収納ケース
Ｐ：遺影
１：ベース部
２：カバー部
５：透明カバー
７：収納配置空間（遺骨収納部，遺影収納部）
１３：収納配置空間（遺骨収納部）
【図１】
0003220408.tif 000003
【図２】
0003220408.tif 000004
【図３】
0003220408.tif 000005
【図４】
0003220408.tif 000006
【図５】
0003220408.tif 000007
【図６】
0003220408.tif 000008
【図７】
0003220408.tif 000009
【図８】
0003220408.tif 000010
【手続補正書】
【提出日】平成30年12月26日(2018.12.26)
【手続補正１】
【補正対象書類名】実用新案登録請求の範囲
【補正対象項目名】全文
【補正方法】変更
【補正の内容】
【実用新案登録請求の範囲】
【請求項１】
故人の遺骨と遺影とが収納されて、人の首に垂れ下げて使用される遺骨・遺影収納ケースであって、
遺骨収納部と遺影収納部とを備え、当該各収納部に収納された遺骨及び遺影は、開閉可能なカバー部により覆われていることを特徴とする遺骨・遺影収納ケース。
【請求項２】
遺骨・遺影収納ケースは、二つ折り可能な長方形状であって、ベース部とカバー部とから成り、前記ベース部には、前記遺骨収納部と前記遺影収納部とを共通化させた一つの共通収納部が設けられ、
前記遺骨は、小封筒状の遺骨収納封筒に封入されて、前記遺影と当該遺骨収納封筒は、当該遺影を上にして、前記ベース部の内側に設けられた前記共通収納部に一緒に収納されることを特徴とする請求項１に記載の遺骨・遺影収納ケース。
【請求項３】
遺骨・遺影収納ケースは、二つ折り可能な長方形状であって、ベース部とカバー部とから成り、遺骨は、遺骨収納袋に封入されて、前記遺影と当該遺骨収納袋は、前記ベース部とカバー部の内側に設けられた各収納部に、それぞれ個別に収納されることを特徴とする請求項１に記載の遺骨・遺影収納ケース。
【手続補正２】
【補正対象書類名】明細書
【補正対象項目名】全文
【補正方法】変更
【補正の内容】
【考案の詳細な説明】
【技術分野】
【０００１】
本考案は、故人の遺骨と遺影を一緒に収納して、人の首から垂れ下げることで、常に身につけて使用される遺骨・遺影収納ケースに関するものである。
【背景技術】
【０００２】
故人を身近に感じて心を癒すために、当該故人の遺骨を収容したペンダントとしては、例えば、特許文献１，２を含めて多数の出願が公開されている。しかし、これらのペンダントは、他人から認識されないように、遺骨を埋設状態で収容することで、本人のみが、当該遺骨の存在を認識し得るようにして、常に身に付けて故人を偲び得るようにしている。
【０００３】
しかし、故人を心の奥から偲ぶには、遺骨のみならず、遺影の存在が望ましいが、ペンダントでは、他人に認識されることなく、遺骨と遺影を収納することが難しいために、その双方を備えたペンダント類は出現していない。
【先行技術文献】
【特許文献】
【０００４】
【特許文献１】特開２００８−１２５８５８号公報
【特許文献２】特開２００９−３９１４１号公報
【考案の概要】
【考案が解決しようとする課題】
【０００５】
本考案は、他人に認識されることなく、遺骨と遺影の双方を一緒に収納して、常時、人の首に垂れ下げて生活することで、故人を偲ぶのみならず、一種の「守り札」としての機能をも有する遺骨・遺影収納ケースの提供を課題としている。
【課題を解決するための手段】
【０００６】
上記課題を解決するための請求項１の考案は故人の遺骨と遺影とが収納されて、人の首に垂れ下げて使用される遺骨・遺影収納ケースであって、
遺骨収納部と遺影収納部とを備え、当該各収納部に収納された遺骨及び遺影は、開閉可能なカバー部により覆われていることを特徴としている。
【０００７】
請求項１の考案によれば、故人の遺骨及び遺影は、いずれもケースに設けられた遺骨収納部及び遺影収納部にそれぞれ収納されて、カバー部で覆われた状態で、人の首から垂れ下げることで、常時、身に付けた状態で生活できる。このため、第三者は、首から垂れ下げられているケースに、遺骨及び遺影が収納されていることを認識できず、本人のみが、故人と強く結びついていることを認識しながら、故人の生前と同様に、大切な親族と一緒にいる状態を認識できて、深い安堵感が得られる。また、故人を直接に認識したい場合には、カバー部を開いて、故人の遺影を直接に見られる。
【０００８】
このように、遺骨及び遺影は、通常時には、いずれもカバー部で覆い隠されているため、第三者は、当該遺骨及び遺影を全く認識し得ないので、当該第三者に嫌悪感、不快感等のマイナスのイメージを与えることもない。更に、心理的には、故人から与えられた「守り札」と認識することで、故人に守られた状態で、安心して日々の生活を送ることができる。
【０００９】
請求項２の考案は、請求項１の考案において、遺骨・遺影収納ケースは、二つ折り可能な長方形状であって、ベース部とカバー部とから成り、前記ベース部には、前記遺骨収納部と前記遺影収納部とを共通化させた一つの共通収納部が設けられ、前記遺骨は、小封筒状の遺骨収納封筒に封入されて、前記遺影と当該遺骨収納封筒は、当該遺影を上にして、前記ベース部の内側に設けられた前記共通収納部に一緒に収納されることを特徴としている。
【００１０】
請求項２の考案によれば、遺骨は、小封筒状の遺骨収納封筒に封入されて、遺影を上にして、ベース部の内側に設けられた共通収納部に、二枚重ねの状態で収納され、二つ折り可能なケースのカバー部により、前記遺影が覆い隠される構造になっている。このように、遺骨が収納された遺骨収納封筒と遺影とが、常に二枚重ね状態で収納されているため、遺骨と遺影とが遺骨収納袋を介して接触して配置されるため、故人を偲ぶ心的状態が一層に深められる。
【００１１】
請求項３の考案は、請求項１の考案において、遺骨・遺影収納ケースは、二つ折り可能な長方形状であって、ベース部とカバー部とから成り、遺骨は、遺骨収納袋に封入されて、前記遺影と当該遺骨収納袋は、前記ベース部とカバー部の内側に設けられた各収納部に、それぞれ個別に収納されることを特徴としている。
【００１２】
請求項３の考案によれば、カバー部を開いて、遺影を見る時のみ、当該遺影と遺骨収納袋に収納された遺骨とが分離するが、主たる状態であるカバー部を閉じた通常の状態では、当該遺骨収納袋を介して遺影と遺骨とが接触した状態を保持しているため、故人を偲ぶ心的状態が一層に深められる。
【考案の効果】
【００１３】
請求項１の考案によれば、遺骨及び遺影は、通常時には、いずれもカバー部で覆い隠されていて、遺影を見る時のみ、カバー部を開く構成であって、第三者は、当該遺骨及び遺影を全く認識し得ないので、当該第三者に嫌悪感、不快感等のマイナスのイメージを与えることもなく、故人の生前と同様に、大切な親族と一緒にいる状態を認識できて、深い安堵感が得られる。更に、心理的には、故人から与えられた「守り札」と認識することで、故人に守られた状態で、安心して日々の生活を送ることができる。
【００１４】
請求項２又は３の考案によれば、遺骨が収納された遺骨収納袋と遺影とが、常に二枚重ね状態で収納されているため、遺骨と遺影とが遺骨収納袋を介して接触して配置されるため、故人を偲ぶ心的状態が一層に深められる。
【図面の簡単な説明】
【００１５】
【図１】（ａ），（ｂ）は、実施例１の遺骨・遺影収納ケースＣ1 の構成部材の縫製前、及び縫製後の各状態の斜視図である。
【図２】本考案の実施例１の遺骨・遺影収納ケースＣ1 と、遺骨粉Ｂが収納された遺骨収納封筒Ａ1 と遺影Ｐとの関係を示す平面図である。
【図３】（ａ），（ｂ）は、それぞれ遺骨・遺影収納ケースＣ1 のカバー部２を開いた状態、及び閉じた状態の斜視図である。
【図４】遺骨・遺影収納ケースＣ1 のカバー部２を開いた状態の模式的縦断面図である。
【図５】本考案の実施例２の遺骨・遺影収納ケースＣ2 と、遺骨粉Ｂが収納された遺骨収納袋Ａ2 と遺影Ｐとの関係を示す平面図である。
【図６】本考案の実施例２の遺骨・遺影収納ケースＣ2 を開いた状態の斜視図である。
【図７】（ａ），（ｂ）は、それぞれ遺骨・遺影収納ケースＣ2 のカバー部２を開いた状態、及び閉じた状態の模式的縦断面図である。
【図８】（ａ），（ｂ）は、それぞれ遺骨・遺影収納ケースＣ1 （Ｃ2 ）の異なる使用状態を示す図である。
【考案を実施するための形態】
【００１６】
以下、複数の実施例を挙げて、本考案について更に詳細に説明する。
【実施例１】
【００１７】
実施例１の遺骨・遺影収納ケースＣ1 は、図１〜図４に示されるように、ベース部１とカバー部２とが一体となった二つ折り可能な長方形状のケース体３を備え、当該ケース体３のベース部１の内側に、方形枠状の周縁枠体４が、同じく方形状をしたプラスチック製の透明カバー５を挟んで一体に縫着されている。周縁枠体４におけるケース体３の折曲げ部３ａと平行に配置される第１枠体辺部４ａのみは、遺影Ｐ及び小封筒状の遺骨収納封筒Ａ1 の挿入開口６（図４参照）を形成するために、緩やかなわん曲状に形成されて、前記ベース部１に対して縫着されておらず、当該ベース部１と前記透明カバー５との間は、遺影Ｐ及び遺骨収納封筒Ａ1 を一緒に収納配置させる共通収納部を構成する収納配置空間７となっている。なお、前記ケース体３及び前記周縁枠体４は、いずれも皮製である。
【００１８】
また、ケース体３の折曲げ部３ａには、長方形状の当該ケース体３の幅方向に沿って所定間隔をおいて一対の紐通し孔８が形成され、ケース体３の長手方向に沿った両端縁の幅方向の中央部には、それぞれ所定長のファスナー９ａ，９ｂが幅方向に沿って一体に取付けられている。ファスナー９ａは、前記第１枠体辺部４ａと対向する第２枠体辺部４ｂに一体に取付けられている。各ファスナー９ａ，９ｂは、無数のきのこ片状の短片が絡み合うことで、一体に結合される構成である。なお、図１〜図４において、Ｓは、縫着部を示す。
【００１９】
遺骨収納封筒Ａ1 には、故人の遺骨を潰した遺骨粉Ｂが収納され、図３及び図４に示されるように、遺影Ｐが上になるようにして、当該遺影Ｐと、遺骨粉Ｂが収納された遺骨収納封筒Ａ1 とを二枚重ねにして、収納配置空間７の挿入開口６から当該収納配置空間７に挿入して配置する。遺骨粉Ｂが収納された遺骨収納封筒Ａ1 は、遺影Ｐの裏側に配置されて、当該遺影Ｐにより完全に覆われているので、ケース体３のカバー部２を開いた状態においても、第三者は、当該遺骨収納封筒Ａ1 、即ち遺骨粉（遺骨）Ｂの存在には、全く気付かない。
【００２０】
そして、ケース体３の折曲げ部３ａに設けられた一対の紐通し孔８に紐２１を通して、当該紐２１をループ状に結んで、図８に示されるように、ケース体３を人の首に垂れ下げることで、日常の生活の殆どの場面において、故人の遺骨Ｂと遺影Ｐを身に付けて生活でき、故人を偲ぶ心的状態を深めることができる。通常の状態では、遺影Ｐは、ケース体３のカバー部２で覆われているため、第三者は、ケースＣ1 の内部に何が収納されているかに関して、全く分からないため、当該遺影Ｐと遺骨Ｂの双方を認識し得ないので、第三者に対して嫌悪感、不快感等のマイナスのイメージを与えることはない。
【００２１】
また、必要な場合には、ケース体３のカバー部２を開くことで、遺骨Ｂと重なった状態の遺影Ｐを直接に見ることができて、故人を偲ぶ気持ちが深められる。ここで、遺影Ｐと、遺骨粉Ｂが収納された遺骨収納封筒Ａ1 とは二枚重ねとなって収納されているので、遺影Ｐを見る場合には、遺骨粉Ｂを直接に認識し得るので、故人を偲ぶ心的状態が一層に深められる。
【実施例２】
【００２２】
次に、図５〜図７を参照して、実施例２の遺骨・遺影収納ケースＣ2 について、前記遺骨・遺影収納ケースＣ1 と異なる部分についてのみ説明する。遺骨・遺影収納ケースＣ2 は、カバー部２の内側に、当該カバー部２と同一形状の配置空間形成板部１１が配置され、当該配置空間形成板部１１における前記挿入開口６と対向する部分を除いて、残りの３辺の周縁部は、カバー部２に対して縫着され、前記挿入開口６と対向する部分に、別の挿入開口１２が形成され、当該カバー部２と配置空間形成板部１１との間に、遺骨収納袋Ａ2 を収納配置させる別の収納配置空間１３が形成されている。
【００２３】
このため、ケース体３のベース部１及びカバー部２に形成された各収納配置空間７，１３に、それぞれ遺影Ｐ及び遺骨収納袋Ａ2 が収納配置される。遺骨収納袋Ａ2 には、遺骨粉Ｂが収納されて、その開口部は、凹凸嵌合形式のファスナー１４により閉じられている。
【００２４】
遺骨・遺影収納ケースＣ2 においては、遺影Ｐと、遺骨粉Ｂとが収納された状態で、当該遺影Ｐと、遺骨粉Ｂが収納された遺骨収納袋Ａ2 とは、配置空間形成板部１１を介して二枚重ねとなって、遺影Ｐと遺骨粉Ｂとが近接した状態となっているので、故人を偲ぶ心的状態が一層に深められる。
【００２５】
なお、ケースＣ1 ，Ｃ2 を構成するベース部１に対してカバー部２が閉じた状態を保持するには、ファスナーの外に、ホック類を使用してもよい。
【符号の説明】
【００２６】
Ａ1 ：遺骨収納封筒
Ａ2 ：遺骨収納袋
Ｂ：遺骨（遺骨粉) 
Ｃ1 ，Ｃ2 ：遺骨・遺影収納ケース
Ｐ：遺影
１：ベース部
２：カバー部
５：透明カバー
７：収納配置空間（共通収納部，遺骨収納部，遺影収納部）
１３：収納配置空間（遺骨収納部）